(57)【要約】【課題】ステータから電動機のハウジング外に導出されるまでの配線とロータとの接触を防止することができる電動機を提供する。【解決手段】電動機１０のハウジング２０は、ステータ１３を保持する略円筒形状のハウジング本体２１と、ハウジング本体２１の端部開口を閉塞するサイドハウジング２２と、を有し、ステータ１３のコイル１４には、コイル１４の温度を検出する温度センサ１５が設けられ、サイドハウジング２２には、温度センサ１５の配線１６をハウジング２０外に取り出す信号取出コネクタ３０が設けられ、ハウジング本体２１のステータ１３とサイドハウジング２２との間のハウジング壁２３に、温度センサ１５の配線１６を固定する中継部４０が設けられ、中継部４０は、ハウジング壁２３の外側からのボルト締めによって、ハウジング壁２３の内側の配線１６をハウジング壁２３の内側面に固定する。【選択図】図２
2014166030.tif 000002
【特許請求の範囲】
【請求項１】
シャフトと、
前記シャフトに設けられるロータと、
前記ロータの外周側に設けられるステータと、
前記ステータに設けられるコイルと、
前記ステータを保持する略円筒形状のハウジング本体と、前記ハウジング本体の端部開口を閉塞するサイドハウジングと、を有するハウジングと、を備える電動機において、
前記ステータの前記コイルには、前記コイルの温度を検出する温度センサが設けられ、
前記サイドハウジングには、温度センサの配線を前記ハウジング外に取り出す信号取出コネクタが設けられ、
前記ハウジング本体の前記ステータと前記サイドハウジングとの間のハウジング壁に、前記温度センサの前記配線を固定する中継部が設けられ、
前記中継部は、前記ハウジング壁の外側からのボルト締めによって、前記ハウジング壁の内側の前記配線を前記ハウジング壁の内側面に固定することを特徴とする電動機。
【発明の詳細な説明】
【技術分野】
【０００１】
本発明は、電動機に関し、詳細には、電動機の温度センサの配線に関する。
【背景技術】
【０００２】
従来の電動機としては、コイルの温度を検出する温度センサの配線を、ステータに設けられる一対のスナップ片で保持して、配線とロータとの接触を防止するものが知られている（例えば、特許文献１参照）。
【先行技術文献】
【特許文献】
【０００３】
【特許文献１】特開２０１２−０９８２０４号公報
【発明の概要】
【発明が解決しようとする課題】
【０００４】
しかしながら、上記特許文献１に記載の電動機では、温度センサの配線をステータに保持することはできるものの、ステータから電動機のハウジング外に導出されるまでの配線については考慮されておらず、この区間の配線については、依然として、ロータと接触する可能性があった。
【０００５】
本発明は、前述した事情に鑑みてなされたものであり、その目的は、ステータから電動機のハウジング外に導出されるまでの配線とロータとの接触を防止することができる電動機を提供することにある。
【課題を解決するための手段】
【０００６】
上記目的を達成するために、請求項１に係る発明は、
シャフト（例えば、後述の実施形態におけるシャフト１１）と、
前記シャフトに設けられるロータ（例えば、後述の実施形態におけるロータ１２）と、
前記ロータの外周側に設けられるステータ（例えば、後述の実施形態におけるステータ１３）と、
前記ステータに設けられるコイル（例えば、後述の実施形態におけるコイル１４）と、
前記ステータを保持する略円筒形状のハウジング本体（例えば、後述の実施形態におけるハウジング本体２１）と、前記ハウジング本体の端部開口を閉塞するサイドハウジング（例えば、後述の実施形態におけるサイドハウジング２２）と、を有するハウジング（例えば、後述の実施形態におけるハウジング２０）と、を備える電動機（例えば、後述の実施形態における電動機１０）において、
前記ステータの前記コイルには、前記コイルの温度を検出する温度センサ（例えば、後述の実施形態における温度センサ１５）が設けられ、
前記サイドハウジングには、温度センサの配線（例えば、後述の実施形態における配線１６）を前記ハウジング外に取り出す信号取出コネクタ（例えば、後述の実施形態における信号取出コネクタ）３０が設けられ、
前記ハウジング本体の前記ステータと前記サイドハウジングとの間のハウジング壁（例えば、後述の実施形態におけるハウジング壁２３）に、前記温度センサの前記配線を固定する中継部（例えば、後述の実施形態における中継部４０）が設けられ、
前記中継部は、前記ハウジング壁の外側からのボルト締めによって、前記ハウジング壁の内側の前記配線を前記ハウジング壁の内側面に固定することを特徴とする電動機。
【発明の効果】
【０００７】
請求項１の発明によれば、ステータのコイルには、コイルの温度を検出する温度センサが設けられ、サイドハウジングには、温度センサの配線をハウジング外に取り出す信号取出コネクタが設けられ、ハウジング本体のステータとサイドハウジングとの間のハウジング壁に、温度センサの配線を固定する中継部が設けられ、中継部は、ハウジング壁の外側からのボルト締めによって、ハウジング壁の内側の配線をハウジング壁の内側面に固定するため、ステータからハウジング外に導出されるまでの配線とロータとの接触を防止することができる。
【図面の簡単な説明】
【０００８】
【図１】本発明に係る電動機の一実施形態を説明する断面図である。
【図２】図１に示す中継部及び信号取出コネクタの周辺の断面図である。
【図３】図２に示す中継部のクランプ部を下げた状態の断面図である。
【図４】図２のＡ−Ａ線断面図である。
【図５】中継部のクランプ部の第１変形例を説明する断面図である。
【図６】中継部のクランプ部の第２変形例を説明する断面図である。
【図７】中継部のベース部材の変形例を説明する断面図である。
【図８】図７に示す中継部の周辺の上面図である。
【発明を実施するための形態】
【０００９】
以下、本発明に係る電動機の一実施形態について、添付の図面に基づいて詳細に説明する。
【００１０】
本実施形態の電動機１０は、図１に示すように、シャフト１１と、シャフト１１に設けられるロータ１２と、ロータ１２の外周側に設けられるステータ１３と、ステータ１３に設けられるコイル１４と、ステータ１３を保持するハウジング２０と、を備える。
【００１１】
ハウジング２０は、図１に示すように、略円筒形状であり、ステータ１３が内周面に圧入されるハウジング本体２１と、ハウジング本体２１の端部開口を閉塞するサイドハウジング２２と、を備える。
【００１２】
そして、図２に示すように、コイル１４内には、コイル１４の温度を検出する温度センサ１５が設けられており、この温度センサ１５の配線１６の端部にはセンサコネクタ１７が設けられている。
【００１３】
また、図２に示すように、サイドハウジング２２には、温度センサ１５の配線１６をハウジング２０外に取り出すため、温度センサ１５の配線１６のセンサコネクタ１７を接続させる信号取出コネクタ３０が設けられている。
【００１４】
信号取出コネクタ３０は、サイドハウジング２２に形成されるコネクタ取付穴２２ａに取り付けられており、筒形状のコネクタ本体３１と、コネクタ本体３１の外周面に固定される円環状の固定ベース３２と、固定ベース３２の外周面に取り付けられるＯリング３３と、固定ベース３２をコネクタ取付穴２２ａに締結するナット３４と、を備える。
【００１５】
また、図２〜図４に示すように、ハウジング本体２１のステータ１３とサイドハウジング２２との間のハウジング壁２３には、温度センサ１５の配線１６を固定する中継部４０が設けられている。
【００１６】
中継部４０は、ハウジング壁２３に形成される中継部取付穴２３ａに螺着されるベース部材４１と、ベース部材４１に相対回転可能に取り付けられるボルト４２と、ボルト４２を締める方向に回転することによりベース部材４１内に引き込まれるクランプ部４３と、を備える。
【００１７】
ベース部材４１は、ハウジング壁２３の中継部取付穴２３ａに螺着される円筒部４１ａと、円筒部４１ａの上端部に形成されるフランジ部４１ｂと、を有する。そして、フランジ部４１ｂの軸中心にボルト４２が相対回転可能に挿通されており、ボルト４２の軸部は円筒部４１ａ内に配置されている。また、フランジ部４１ｂは、工具による締め付けが可能なように、上面視において、平行な二面を有する円形、四角形、及び六角形のいずれかに形成されている。また、円筒部４１ａの内周面は、フランジ部４１ｂから離間するに従って拡径するテーパ面４１ｃに形成されている。
【００１８】
クランプ部４３は、円錐台形状であり、その軸中心には、ボルト４２を螺合させる有底のボルト穴４３ａが上面側から形成されている。また、クランプ部４３の下端部には、温度センサ１５の配線１６を挿通する配線挿通穴４３ｂがクランプ部４３の軸中心と直交する方向に形成されている。また、クランプ部４３の外周面は、ベース部材４１の円筒部４１ａのテーパ面４１ｃに嵌合するテーパ面４３ｃに形成されている。
【００１９】
なお、クランプ部４３の第１変形例として、図５に示すように、クランプ部４３の配線挿通穴４３ｂが形成されている側壁に切欠部４４が形成されていてもよい。この場合、温度センサ１５の配線１６の配線挿通穴４３ｂ内への挿通を容易に行うことができる。
【００２０】
また、クランプ部４３の第２変形例として、図６に示すように、上記配線挿通穴４３ｂの代わりに、クランプ部４３の下面に配線収容溝４５を形成すると共に、この配線収容溝４５の上方にタイラップ挿通穴４６を形成して、配線収容溝４５内に配置された温度センサ１５の配線１６をタイラップ４７で固定するようにしてもよい。
【００２１】
このように構成された中継部４０では、図２に示すように、ハウジング壁２３の外側においてボルト４２を締める方向に回転することによって、ハウジング壁２３の内側のクランプ部４３がベース部材４１内に引き込まれて、クランプ部４３の配線挿通穴４３ｂに挿通されている温度センサ１５の配線１６がハウジング壁２３の内側面に固定される。このため、温度センサ１５の配線１６の弛みをなくすことができるので、配線１６とロータ１２との接触を確実に防止することができる。また、このとき、ベース部材４１の円筒部４１ａの内周面のテーパ面４１ｃに、クランプ部４３の外周面のテーパ面４３ｃが接触するので、円筒部４１ａ内が密閉される。
【００２２】
また、図３に示すように、ハウジング壁２３の外側においてボルト４２を緩める方向に回転することによって、ハウジング壁２３の内側のクランプ部４３が下方に移動して、温度センサ１５の配線１６を弛ませて、配線１６を最大まで伸ばすことが可能となる。このため、サイドハウジング２２のハウジング本体２１への取り付け前において、サイドハウジング２２とハウジング本体２１の間の隙間に手を入れて、信号取出コネクタ３０に温度センサ１５のセンサコネクタ１７を接続することができる。さらに、サイドハウジング２２のハウジング本体２１への取り付け時において、温度センサ１５のセンサコネクタ１７をサイドハウジング２２のコネクタ取付穴２２ａから外側に引き出して、温度センサ１５のセンサコネクタ１７に信号取出コネクタ３０を接続することもできる。
【００２３】
次に、本実施形態の電動機１０における温度センサ１５の取り付け手順について説明する。まず、ステータ１３のコイル１４内に温度センサ１５を設置する。次に、温度センサ１５の配線１６を中継部４０のクランプ部４３の配線挿通穴４３ｂに挿通させる。次に、信号取出コネクタ３０をサイドハウジング２２のコネクタ取付穴２２ａに取り付ける。次に、サイドハウジング２２をハウジング本体２１に接近させると共に、温度センサ１５のセンサコネクタ１７を信号取出コネクタ３０に接続する。次に、サイドハウジング２２をハウジング本体２１に固定する。次に、中継部４０のボルト４２を締める方向に回転させて、ハウジング壁２３内の温度センサ１５の配線１６の弛みをなくす。
【００２４】
次に、温度センサ１５の他の取り付け手順について説明する。まず、ステータ１３のコイル１４内に温度センサ１５を設置する。次に、温度センサ１５の配線１６を中継部４０のクランプ部４３の配線挿通穴４３ｂに挿通させる。次に、サイドハウジング２２をハウジング本体２１に接近させると共に、温度センサ１５のセンサコネクタ１７をサイドハウジング２２のコネクタ取付穴２２ａから外側に引き出す。次に、サイドハウジング２２をハウジング本体２１に固定する。次に、温度センサ１５のセンサコネクタ１７に信号取出コネクタ３０を接続する。次に、信号取出コネクタ３０をサイドハウジング２２のコネクタ取付穴２２ａに取り付ける。次に、中継部４０のボルト４２を締める方向に回転させて、ハウジング壁２３内の温度センサ１５の配線１６の弛みをなくす。
【００２５】
以上説明したように、本実施形態の電動機１０によれば、ハウジング本体２１のステータ１３とサイドハウジング２２との間のハウジング壁２３に、温度センサ１５の配線１６を固定する中継部４０が設けられ、中継部４０は、ハウジング壁２３の外側においてボルト４２を締める方向に回転することによって、ハウジング壁２３の内側の温度センサ１５の配線１６をハウジング壁２３の内側面に固定する。このため、ステータ１３からハウジング２０外に導出されるまでの配線、即ち、ステータ１３のコイル１４から信号取出コネクタ３０までの温度センサ１５の配線１６の弛みをなくすことができるので、配線１６とロータ１２との接触を防止することができる。
【００２６】
また、本実施形態の電動機１０によれば、ボルト４２を締める方向に回転することによりクランプ部４３がベース部材４１の円筒部４１ａ内に引き込まれ、ベース部材４１の円筒部４１ａの内周面のテーパ面４１ｃに、クランプ部４３の外周面のテーパ面４３ｃが接触するため、ハウジング２０内のオイルが外部に漏れ出るのを防止することができる。
【００２７】
なお、中継部４０のベース部材４１の変形例として、図７に示すように、ベース部材４１をハウジング壁２３の中継部取付穴２３ａに圧入により固定してもよい。この場合、ベース部材４１の円筒部４１ａの外周面及び中継部取付穴２３ａの内周面の両方にネジ部が形成されず、円筒部４１ａの外周面にベース部材４１の回転止めとなる１つの平面部４８（図８参照）が形成される。また、フランジ部４１ｂは、工具による締め付けが不要なため、上面視において、円形に形成されている。
【００２８】
なお、本発明は上記実施形態に例示したものに限定されるものではなく、本発明の要旨を逸脱しない範囲において適宜変更することができる。
【符号の説明】
【００２９】
１０    電動機
１１    シャフト
１２    ロータ
１３    ステータ
１４    コイル
１５    温度センサ
１６    配線
１７    センサコネクタ
２０    ハウジング
２１    ハウジング本体
２２    サイドハウジング
２３    ハウジング壁
３０    信号取出コネクタ
４０    中継部
４１    ベース部材
４２    ボルト
４３    クランプ部
【図１】
2014166030.tif 000003
【図２】
2014166030.tif 000004
【図３】
2014166030.tif 000005
【図４】
2014166030.tif 000006
【図５】
2014166030.tif 000007
【図６】
2014166030.tif 000008
【図７】
2014166030.tif 000009
【図８】
2014166030.tif 000010